(57)【要約】【課題】簡素な構造としながらも、ベッド柵体がベッド幅方向外方側へ膨らむような弯曲変形を防止すると共に、寝床体の滑落を防止可能なベビーベッドを提供する。【解決手段】平面視長方形状のベッド柵体１にベッド幅方向外方側Ｗａから差し込まれて挿通する寝床支持用のボルト部材５と、ベッド幅方向内方側Ｗｂからボルト部材５に螺着して寝床体２を下方から支持するナット部材６と、を備えたベビーベッドであって、寝床体２は、平板状の床部20と、床部20の下方にベッド長手方向に沿って配設される長手桟部材22と、を有し、ナット部材６は、長手桟部材22を下方から支持する円筒部62を有し、さらに、円筒部62のベッド内方端部62ｂに、長手桟部材22の内面22ｂに当接するための外鍔部63を設けた。【選択図】図４
2015159963.tif 000002
【特許請求の範囲】
【請求項１】
平面視長方形状のベッド柵体（１）にベッド幅方向外方側（Ｗａ）から差し込まれて挿通する寝床支持用のボルト部材（５）と、ベッド幅方向内方側（Ｗｂ）から上記ボルト部材（５）に螺着して寝床体（２）を下方から支持するナット部材（６）と、を備えたベビーベッドに於て、
上記寝床体（２）は、平板状の床部（20）と、該床部（20）の下方にベッド長手方向（Ｎ）に沿って配設される長手桟部材（22）と、を有し、
上記ナット部材（６）は、上記長手桟部材（22）を下方から支持する円筒部（62）を有し、さらに、上記円筒部（62）のベッド内方端部（62ｂ）に、上記長手桟部材（22）の内面（22ｂ）に当接するための外鍔部（63）を設けたことを特徴とするベビーベッド。
【請求項２】
上記外鍔部（63）は、円形状であって、外径寸法（Ｄ）を、上記円筒部（62）の外径寸法（ｄ）の２．５倍以上４．５倍以下に設定した請求項１記載のベビーベッド。
【発明の詳細な説明】
【技術分野】
【０００１】
本発明は、ベビーベッドに関する。
【背景技術】
【０００２】
従来、ベビーベッドは、ベッド幅方向外方側からベッド柵体にベッド支持ピンを挿通させ、ベッド柵体を挿通したベッド支持ピンの軸部で寝床体を下方から支持していた（例えば、特許文献１参照）。
さらに、ベッド支持ピンが振動によって抜ける問題を解決した従来技術として、図８に示すように、ベッド柵体91に、ベッド幅方向外方側Ｗａから寝床支持用のボルト部材95を挿通させ、挿通したボルト部材95に、ベッド幅方向内方側Ｗｂからナット部材96を螺着して抜け止めを行うと共に、ナット部材96にて寝床体92を下方から支持するものがあった。
【先行技術文献】
【特許文献】
【０００３】
【特許文献１】実開昭４８−１７１５５号公報
【発明の概要】
【発明が解決しようとする課題】
【０００４】
しかし、ベッド柵体91は、長期間使用すると、図９に示す平面視長方形状から、図10に示すように、ベッド幅方向外方側Ｗａに膨らむように弯曲変形することがある。
このように弯曲変形すると、図11に示すように、ナット部材96のベッド内方端部96ｂに、寝床体92が相対的に移動して、寝床体92及び乳児の荷重が、ナット部材96及びボルト部材95のベッド内方側に集中して（偏在して）、モーメント力が作用し、ボルト部材95が下方へ弯曲変形すると共に、ナット部材96のベッド外方端部96ａがベッド柵体91に食い込んで、ナット部材96のベッド内方端部96ｂが下方へ垂れ下り、寝床体92がナット部材96から滑落する虞があった。
【０００５】
そこで、本発明は、簡素な構造としながらも、ベッド柵体がベッド幅方向外方側に膨らむような弯曲変形を防止すると共に、寝床体の滑落を防止可能なベビーベッドの提供を目的とする。
【課題を解決するための手段】
【０００６】
上記目的を達成するために、本発明のベビーベッドは、平面視長方形状のベッド柵体にベッド幅方向外方側から差し込まれて挿通する寝床支持用のボルト部材と、ベッド幅方向内方側から上記ボルト部材に螺着して寝床体を下方から支持するナット部材と、を備えたベビーベッドに於て、上記寝床体は、平板状の床部と、該床部の下方にベッド長手方向に沿って配設される長手桟部材と、を有し、上記ナット部材は、上記長手桟部材を下方から支持する円筒部を有し、さらに、上記円筒部のベッド内方端部に、上記長手桟部材の内面に当接するための外鍔部を設けたものである。
また、上記外鍔部は、円形状であって、外径寸法を、上記円筒部の外径寸法の２．５倍以上４．５倍以下に設定したものである。
【発明の効果】
【０００７】
本発明によれば、ベッド柵体がベッド幅方向外方側へ膨らむような弯曲変形を防止できると共に、寝床体の滑落を防止できる。耐久性に優れると共に簡素な構造で容易に製造できる。
【図面の簡単な説明】
【０００８】
【図１】本発明の実施の一形態を示す正面図である。
【図２】側面図である。
【図３】断面平面図である。
【図４】要部断面側面図である。
【図５】ナット部材の製造工程を説明するための側面図である。
【図６】ナット部材の製造工程を説明するための断面側面図である。
【図７】ナット部材の製造工程を説明するための正面図である。
【図８】従来例のベビーベッドの要部断面側面図である。
【図９】従来例のベビーベッドの断面平面図である。
【図１０】従来例のベビーベッドの問題点を説明するための断面平面図である。
【図１１】従来例のベビーベッドの問題点を説明するための要部断面側面図である。
【発明を実施するための形態】
【０００９】
以下、図示の実施形態に基づき本発明のベビーベッドを詳説する。
本発明に係るベビーベッドは、図１乃至図３に示すように、平面視長方形状のベッド柵体１と、ベッド柵体１の内部の上下中間位置に水平面状に配設される平面視長方形状の寝床体２と、ベッド柵体１の内部の下部に水平状に配設される平面視長方形状の収納用底板体３と、を備えている。
【００１０】
ベッド柵体１は、複数の木製の杆部材で矩形状に形成した手前柵部11と、複数の木製の杆部材で矩形状に形成した左右一対の側柵部12，12と、複数の木製の杆部材で矩形状に形成した後柵部（奥柵部）13と、を有する角筒形状である。なお、本発明に於て、杆部材とは角材や棒材、板材等を含む。
【００１１】
寝床体２は、布団やマット等の寝具を敷設するための寝具載置面を形成する平板状の床部20と、床部20の下面に固着した下枠部21と、を備えている。
床部20は、木製の平板状部材を１枚で形成した一枚床型や、２枚乃至４枚の複数枚の平板状部材を面一状に隣接して形成した複数枚床型や、複数枚の平板状部材を所定の間隔を空けて配設して形成した簀子床型等自由であり、全体で平面視長方形状の寝具載置面（床面）を形成していれば良い。
【００１２】
下枠部21は、ベッド長手方向Ｎに沿った床部20の両側縁部（長辺縁部）の下方に、ベッド長手方向Ｎに沿って配設した前後一対の木製角材型の長手桟部材（長辺桟部材）22，22と、ベッド幅方向Ｗに沿った床部20の両端縁部（短辺縁部）の下方に、ベッド幅方向Ｗに沿って配設した左右一対の木製の角材型の短辺桟部材23，23と、を有し、平面視長方形型に形成している。
なお、図例では、手前側の長手桟部材22と、後側の長手桟部材22の間に、ベッド長手方向Ｎに沿って補強部材25を配設している。
【００１３】
そして、ベッド幅方向外方側Ｗａからベッド柵体１を形成する縦杆部材19に差し込まれて挿通する寝床支持用のボルト部材５を備えている。
ボルト部材５は、手前柵部11を形成すると共にベッド長手方向Ｎに所定の間隔をもって立設された２つの手前用縦杆部材19Ｘ，19Ｘと、後柵部13を形成すると共にベッド長手方向Ｎに所定の間隔をもって立設され、手前用縦杆部材19Ｘ，19Ｘに対面状に配設される２つの後用縦杆部材19Ｙ，19Ｙと、を夫々挿通するように、合計で４本設けている。
【００１４】
さらに、図４に示すように、縦杆部材19（19Ｘ，19Ｙ）を挿通したボルト部材５の雄ネジ部に、ベッド幅方向内方側Ｗｂから螺着するナット部材６を備えている。
ナット部材６は、ボルト部材５に螺合する雌ネジ部を形成した円筒部62を有している。
円筒部62は、長手桟部材22の下面22ｄに当接して、寝床体２を下方から支持する。
円筒部62のベッド外方端面62ａは、ボルト部材５との螺着によって、縦杆部材19の内面（ベッド幅方向内方面）19ｂに直接に圧接（面接触）している。
【００１５】
そして、ナット部材６は、円筒部62のベッド内方端部62ｂに、寝床体２の長手桟部材22の内面（ベッド幅方向内方面）22ｂに当接するための係止用（滑落防止用）の円形状の外鍔部63を設けている。
【００１６】
つまり、ナット部材６近傍の縦杆部材19（の内面19ｂ）と、ナット部材６の円筒部62（の外周面）と、ナット部材６の外鍔部63とで、横断面四角形状の長手桟部材22の下部が、上方から入り込む（遊嵌する）横断面コの字状の載置部（載置空間）８を形成している。
【００１７】
このように構成することで、ベッド柵体１が、長期間の使用にて（木目による反りや湿気や乾燥による伸縮等にて）平面視でベッド幅方向外方側Ｗａへ膨らむように弯曲変形しようとする力（図10参照）、つまり、手前柵部11と後柵部13とが相互に離間しようとする幅広がり力が発生しても、ナット部材６の外鍔部63が、寝床体２の長手桟部材22の内面22ｂに当接し、幅広がり力（変形力）を寝床体２に伝達して受けることができ、手前柵部11と後柵部13の広がりを阻止する。
【００１８】
さらに、外鍔部63は、寝床体２がナット部材６に対して相対的にベッド幅方向内方側Ｗｂへ移動するのを阻止し、寝床体２の滑落を防止すると共に、寝床体２の荷重や乳児の体重等が、ボルト部材５及びナット部材６のベッド内方側に偏って（偏在して）大きくかかるような偏荷重の発生を阻止する。
従って、ボルト部材５及びナット部材６のベッド幅方向内方側Ｗｂが下方へ曲がるようなモーメント力が発生せず、ナット部材６のベッド外方端面62ａの下半部が縦杆部材19の内面19ｂに食い込んで、ベッド内方端部62ｂが下方へ垂れるような不具合や、ボルト部材５のベッド内方端部（先端部）51が下がるような弯曲変形や、縦杆部材19のボルト挿通用孔19ｄが長円状に拡大するような損傷を防止し、長期間の使用を可能にする。
【００１９】
また、ナット部材６は、外鍔部63の外径寸法Ｄを、円筒部62の外径寸法ｄの２．５倍以上４．５倍以下に設定している。このように設けることで、ベッド柵体１の変形や、寝床体２の滑落を防止しながらも、寝床体２を適切な姿勢に載置しやすい使い勝手の良い構造としている。
つまり、２．５倍未満であると、外鍔部63の外周面と円筒部62の外周面の段差（係止段差）が小さくなって、ベッドを移動する際の振動等によって長手桟部材22が外鍔部63を乗り越える虞や、寝床体２を配設する際に、誤って外鍔部63の上に長手桟部材22を乗り上げたように載置する虞がある。
また、４．５倍を越えると、上記係止段差が大きくなり過ぎて、寝床体２の取り外しが困難になり、使い勝手が悪くなるといった問題や、床部20の下面から長手桟部材22を大きく下方へ突出させる（長手桟部材22を大きな角材でつくる）必要があり、製造コストが増えるといった問題がある。
【００２０】
また、外鍔部63が円形状であるため軸心廻りの位置決めが不要であり、使い勝手よく、安定して係止できる。例えば、外鍔部63が矩形状や多角形状であると、円筒部62の外周面と鍔角部の係止段差寸法と、円筒部62の外周面と鍔辺部の係止段差寸法と、は相違するため、使い勝手と係止安定性を得るためには、軸心廻りの位置決め作業が必要になる。
【００２１】
また、ナット部材６は、図５に示すように、雌ネジが貫設された金属製の円筒部材67と、中心に貫孔68ａが形成されたワッシャー型の金属製の円板部材68と、を一体に固着したものである。
円板部材68の外径寸法Ｄを、円筒部材67の外径寸法ｄの２．５倍以上４．５倍以下に設定している。
【００２２】
図６の上半部に示すように、円板部材68の表て面68ｃ側から、円板部材68の貫孔68ａに、円筒部材67の一端部67ａを差し込んで、円板部材68の裏面68ｄと円筒部材68の一端面67ｄを面一状に配設し、図６の上半部及び図７に二点鎖線で示す溶接領域69、つまり、円板部材68の貫孔68ａの裏面68ｄ側の貫孔内端縁部と、円筒部材67の一端部67ａ側の外周角部（外周端縁部）とを、裏面68ｄ側（ベッド幅方向内方側Ｗｂに相当する側）から溶接する。
【００２３】
図６の下半部に示すように溶接後は、円筒部62（円筒部材67）と外鍔部63（円板部材68）の隅部64が、直角状に形成される。つまり、溶接による肉盛り部（溶接部Ｔ)が隅部64に形成されず、図４に示すように長手桟部材22のベッド幅方向内方側Ｗｂの下角部が、隅部64に密着乃至接近でき、ガタつきや浮き上がりが発生せず、寝床体２の床部20を水平面状に安定して保持できる。
【００２４】
また、円板部材68の表て面68ｃ側の外周角部（外周端縁部）68ｇを、アール形状としている。つまり、外鍔部63のベッド幅方向外方側Ｗａ（載置部８側）の外周角部をアール形状としている。このようにすることで、長手桟部材22を、容易かつスムーズに（外鍔部63に乗り上げて拗れることなく）、上方から載置部８へ落とし込むことができる。
【００２５】
また、円板部材68の全体を（外形状及び貫孔と上記アール形状を）プレス機による打ち抜き加工によって形成している。
つまり、円板部材68の表て面68ｃ側の外周角部68ｇのアール形状は、打ち抜きにて円板部材68を製作した際に意図的に形成したダレから成る。
このように円板部材68を製作することで、容易に製造可能とし、製造コストを削減している。
また、円板部材68の表て面68ｃは、打ち抜き加工の際にパンチ（上型）が接近してくる面（ダレ面や外観面、体裁面とも呼ばれる面）であり、ダイス（下型）に支持される裏面68ｄよりも平滑状となって、よりスムーズに、長手桟部材22が差し込まれるようにしている。
【００２６】
なお、本発明は、設計変更可能であって、ボルト部材５及びナット部材６の数は４つ以上であっても良い。円板部材68の表て面68ｃ側の外周角部68ｇを、切削加工にてアール形状にするも良い。
【００２７】
以上のように、本発明のベビーベッドは、平面視長方形状のベッド柵体１にベッド幅方向外方側Ｗａから差し込まれて挿通する寝床支持用のボルト部材５と、ベッド幅方向内方側Ｗｂからボルト部材５に螺着して寝床体２を下方から支持するナット部材６と、を備えたベビーベッドに於て、寝床体２は、平板状の床部20と、床部20の下方にベッド長手方向Ｎに沿って配設される長手桟部材22と、を有し、ナット部材６は、長手桟部材22を下方から支持する円筒部62を有し、さらに、円筒部62のベッド内方端部62ｂに、長手桟部材22の内面22ｂに当接するための外鍔部63を設けたので、ベッド柵体１が平面視でベッド幅方向外方側Ｗａに膨らむような弯曲変形を防止できると共に、寝床体２の滑落を防止できる。耐久性に優れると共に、簡素な構造で容易に製造できる。
【００２８】
また、外鍔部63は、円形状であって、外径寸法Ｄを、円筒部62の外径寸法ｄの２．５倍以上４．５倍以下に設定したので、ベッド柵体１が平面視でベッド幅方向Ｗに膨らむような弯曲変形を防止できると共に、寝床体２の滑落を防止しながらも、寝床体２を適切な姿勢で載置しやすく使い勝手が良い。外鍔部63が円形状であるため、軸心廻りの位置決め作業を行うことなく常に安定した係止作用が得られる。
【符号の説明】
【００２９】
１  ベッド柵体
２  寝床体
５  ボルト部材
６  ナット部材
20  床部
22  長手桟部材
22ｂ  内面
62  円筒部
62ｂ  ベッド内方端部
63  外鍔部
Ｄ  外鍔部の外径寸法
ｄ  円筒部の外径寸法
Ｗａ  ベッド幅方向外方側
Ｗｂ  ベッド幅方向内方側
【図１】
2015159963.tif 000003
【図２】
2015159963.tif 000004
【図３】
2015159963.tif 000005
【図４】
2015159963.tif 000006
【図５】
2015159963.tif 000007
【図６】
2015159963.tif 000008
【図７】
2015159963.tif 000009
【図８】
2015159963.tif 000010
【図９】
2015159963.tif 000011
【図１０】
2015159963.tif 000012
【図１１】
2015159963.tif 000013